(57)【特許請求の範囲】
【請求項１】
天板および一対の側板からなる第１テーブル片と、天板および一対の側板からなる第２テーブル片と、天板および一対の側板からなる第３テーブル片と、天板および一対の側板からなる第４テーブル片とを有し、第１テーブル片の前記一対の側板の一端が、第２テーブル片の前記一対の側板の一端に、第１ひんじで回動自在に結合され、第３テーブル片の前記一対の側板の一端が、第４テーブル片の前記一対の側板の一端に、第２ひんじで回動自在に結合され、第２テーブル片の前記一対の側板の他端が、第３テーブル片の前記一対の側板の他端に、第３ひんじで回動自在に結合され、前記第１ひんじは、第１テーブル片と第２テーブル片の天板の表面が同一平面状になる状態と、第１テーブル片と第２テーブル片の天板の裏面を向き合わせて折り畳まれる状態とに移行可能にし、前記第２ひんじは、第３テーブル片と第４テーブル片の天板の表面が同一平面状になる状態と、第３テーブル片と第４テーブル片の天板の裏面を向き合わせて折り畳まれる状態とに移行可能にし、前記第３ひんじは、第２テーブル片と第３テーブル片の天板の表面が同一平面状になる状態と、折り畳まれた第１テーブル片および第２テーブル片と、折り畳まれた第３テーブル片および第４テーブル片とを、第１テーブル片の表面と第４テーブル片の表面を向き合わせて折り畳まれた状態とに移行可能にし、第１テーブル片の前記一対の側板の他端には、各々脚が折り畳み可能に取り付けられ、第２テーブル片の前記一対の側板の他端には、各々脚が折り畳み可能に取り付けられ、第４テーブル片の前記一対の側板の他端には、各々脚が折り畳み可能に取り付けられ、各脚は、折り畳み状態で、第１テーブル片と第２テーブル片の折り畳み状態、および第３テーブル片と第４テーブル片の折り畳み状態で、側板と天板で囲まれる空間に収納されるように寸法づけられる四つ折りテーブル。
【請求項２】
各々、天板からなる第１テーブル片、第２テーブル片、第３テーブル片、第４テーブル片とを有し、第１テーブル片の一端が、第２テーブル片の一端に、第１ひんじで回動自在に結合され、第３テーブル片の一端が、第４テーブル片の一端に、第２ひんじで回動自在に結合され、第２テーブル片の他端が、第３テーブル片の他端に、第３ひんじで回動自在に結合され、前記第１ひんじは、第１テーブル片と第２テーブル片の天板の表面が同一平面状になる状態と、第１テーブル片と第２テーブル片の天板の裏面を向き合わせて折り畳まれる状態とに移行可能にし、前記第２ひんじは、第３テーブル片と第４テーブル片の天板の表面が同一平面状になる状態と、第３テーブル片と第４テーブル片の天板の裏面を向き合わせて折り畳まれる状態とに移行可能にし、前記第３ひんじは、第２テーブル片と第３テーブル片の天板の表面が同一平面状になる状態と、折り畳まれた第１テーブル片および第２テーブル片と、折り畳まれた第３テーブル片および第４テーブル片とを、第１テーブル片の表面と第４テーブル片の表面を向き合わせて折り畳まれた状態とに移行可能にし、第１テーブル片の他端には、脚が折り畳み可能に取り付けられ、第２テーブル片の他端には、脚が折り畳み可能に取り付けられ、第４テーブル片の他端には、脚が折り畳み可能に取り付けられ、第１ひんじ、第２ひんじ、第３ひんじは、折り畳み状態で、第１テーブル片と第２テーブル片の折り畳み状態、および第３テーブル片と第４テーブル片の折り畳み状態で、それぞれの天板の間の空間に前記脚が収納されるように寸法づけられる四つ折りテーブル。
【発明の詳細な説明】
【０００１】
【発明の属する技術分野】
本発明は、折畳み可能なテーブルに関し、特に、屋外で使用するキャンプ用折畳みテーブルに関する。
【０００２】
【従来の技術】
従来のキャンプ用折畳みテーブルは、それぞれ２本の脚が裏面に折り畳まれる２つのテーブル片を、ひんじで接続する４本脚の二つ折りテーブルであった。図４に、従来技術による二つ折りテーブルを示し、図５に、折り畳んだ状態を示す。
【０００３】
あるいは、長さが１：２：１の３つのテーブル片を、両側のテーブル片が中央のテーブル片の裏側に折り畳まれる４本脚の三つ折りテーブルがあった。図６に、従来技術による三つ折りテーブルの斜視図を示し、図７に、折り畳んだ状態を示す。
【０００４】
これらのキャンプ用折畳みテーブルはいずれも、使用時のテーブル面の長さの半分にしか折り畳めず、収納性が悪かった。従って、広いテーブル面を備えるキャンプ用折畳みテーブルを作製すると、折り畳んだ姿が大きくなり、収納しにくく、運搬に不便であった。
【０００５】
折り畳んだ姿を、運搬が容易な大きさにしようとすると、使用時のテーブル面を小さくしなくてはならなくなる。この場合、やむを得ず二つ以上のキャンプ用折畳みテーブルを使用することになるので経済的でなく、テーブル面の段差などから使い勝手が悪かった。
【０００６】
また、テーブル面を４本の脚で支えていたので、テーブル面が揺動したり震動に敏感であったりと、使用時の安定性が悪かった。
【０００７】
【発明が解決しようとする課題】
本発明は、収納性がよく、安定性に優れた広い天板を有するキャンプ用折畳みテーブルを提供することを目的とする。
【０００８】
【課題を解決するための手段】
本発明の四つ折りテーブルは、天板および一対の側板からなる第１テーブル片と、天板および一対の側板からなる第２テーブル片と、天板および一対の側板からなる第３テーブル片と、天板および一対の側板からなる第４テーブル片とを有する。第１テーブル片の前記一対の側板の一端が、第２テーブル片の前記一対の側板の一端に、第１ひんじで回動自在に結合される。第３テーブル片の前記一対の側板の一端が、第４テーブル片の前記一対の側板の一端に、第２ひんじで回動自在に結合される。第２テーブル片の前記一対の側板の他端が、第３テーブル片の前記一対の側板の他端に、第３ひんじで回動自在に結合される。前記第１ひんじは、第１テーブル片と第２テーブル片の天板の表面が同一平面状になる状態と、第１テーブル片と第２テーブル片の天板の裏面を向き合わせて折り畳まれる状態とに移行可能にする。前記第２ひんじは、第３テーブル片と第４テーブル片の天板の表面が同一平面状になる状態と、第３テーブル片と第４テーブル片の天板の裏面を向き合わせて折り畳まれる状態とに移行可能にする。前記第３ひんじは、第２テーブル片と第３テーブル片の天板の表面が同一平面状になる状態と、折り畳まれた第１テーブル片および第２テーブル片と、折り畳まれた第３テーブル片および第４テーブル片とを、第１テーブル片の表面と第４テーブル片の表面を向き合わせて折り畳まれた状態とに移行可能にする。第１テーブル片の前記一対の側板の他端には、各々脚が折り畳み可能に取り付けられる。第２テーブル片の前記一対の側板の他端には、各々脚が折り畳み可能に取り付けられる。第４テーブル片の前記一対の側板の他端には、各々脚が折り畳み可能に取り付けられる。各脚は、折り畳み状態で、第１テーブル片と第２テーブル片の折り畳み状態、および第３テーブル片と第４テーブル片の折り畳み状態で、側板と天板で囲まれる空間に収納されるように寸法づけられる。
【０００９】
あるいは、各々、天板からなる第１テーブル片、第２テーブル片、第３テーブル片、第４テーブル片とを有する。第１テーブル片の一端が、第２テーブル片の一端に、第１ひんじで回動自在に結合される。第３テーブル片の一端が、第４テーブル片の一端に、第２ひんじで回動自在に結合される。第２テーブル片の他端が、第３テーブル片の他端に、第３ひんじで回動自在に結合される。前記第１ひんじは、第１テーブル片と第２テーブル片の天板の表面が同一平面状になる状態と、第１テーブル片と第２テーブル片の天板の裏面を向き合わせて折り畳まれる状態とに移行可能にする。前記第２ひんじは、第３テーブル片と第４テーブル片の天板の表面が同一平面状になる状態と、第３テーブル片と第４テーブル片の天板の裏面を向き合わせて折り畳まれる状態とに移行可能にする。前記第３ひんじは、第２テーブル片と第３テーブル片の天板の表面が同一平面状になる状態と、折り畳まれた第１テーブル片および第２テーブル片と、折り畳まれた第３テーブル片および第４テーブル片とを、第１テーブル片の表面と第４テーブル片の表面を向き合わせて折り畳まれた状態とに移行可能にする。第１テーブル片の他端には、脚が折り畳み可能に取り付けられる。第２テーブル片の他端には、脚が折り畳み可能に取り付けられる。第４テーブル片の他端には、脚が折り畳み可能に取り付けられる。第１ひんじ、第２ひんじ、第３ひんじは、折り畳み状態で、第１テーブル片と第２テーブル片の折り畳み状態、および第３テーブル片と第４テーブル片の折り畳み状態で、それぞれの天板の間の空間に前記脚が収納されるように寸法づけられる。
【００１０】
【発明の実施の形態】
本発明を図に基づいて説明すると、以下のようになる。図１は、本発明の一実施例の四つ折りテーブルを折り畳んだ状態の斜視図である。図２は、使用状態を示す斜視図である。図３は、脚を収納した状態の底面を示す斜視図である。
【００１１】
本発明の四つ折りテーブルは、天板および側板からなる第１テーブル片１、第２テーブル片２、第３テーブル片３および第４テーブル片４と、裏面側から天板と側板で囲まれる空間内へ収納可能に取りつけられる６本の脚１ａ、２ａ、４ａとからなる。第１テーブル片１および第２テーブル片２と、第３テーブル片３および第４テーブル片４とは、裏面の水準の枢軸２０ａを有するように取り付けられた第１ひんじ２０により、裏面を向き合わせて畳まれるように枢着される。第２テーブル片２および第３テーブル片３は、裏面の水準から側板の高さだけ離れた水準の枢軸３０ａを有するように取り付けられた第２ひんじ３０により、第２テーブル片２に重ねて畳まれた第１テーブル片１の天板と、第３テーブル片３に重ねて畳まれた第４テーブル片４の天板とを向き合わせて畳まれるように枢着される。
【００１２】
前記第１ひんじ２０は、それぞれの側板に固着させる平板部と、側板の角にあたる点に前記枢軸２０ａが位置できるように伸ばした腕部とからなる２枚の板部材を、枢軸２０ａで枢着する。第１ひんじ２０は、枢軸２０ａを位置決めして、前記側板に取り付ける。
【００１３】
前記第２ひんじ３０は、それぞれの側板に固着させる平板部と、天板から側板の幅のおおよそ倍の高さだけ離れた点に前記枢軸３０ａが位置できるように伸ばした腕部とからなる２枚の板部材を、枢軸３０ａで枢着する。第２ひんじ３０は、枢軸３０ａを位置決めして、前記側板に取り付ける。
【００１４】
前記脚１ａ、２ａ、４ａを２本一対で、部材１ｃ、２ｃ、４ｃで平行に固着して構成し、第１テーブル片１と、第２テーブル片２と、第４テーブル片４とに取り付け、テーブル面の裏面と直角な位置で固定可能にする機構１ｄ、２ｄ、４ｄを有する。
【００１５】
また、第１テーブル片１および第４テーブル片４の側板に、手提げ用の取っ手５および固定用の金具６、６ａを取り付ける。
【００１６】
例えば、天板を幅６００ｍｍ、長さ４４０ｍｍとし、側板を幅３３ｍｍとして第１テーブル片１、第２テーブル片２、第３テーブル片３および第４テーブル片４を組み立てると、幅６００ｍｍ、長さ１７６０ｍｍの広いテーブル面が構成できる。
【００１７】
テーブル面の角部は、図示したように曲線で構成すると見栄えがよいが、直角なままでもよい。あるいは、第１テーブル片１および第４テーブル片４を、半円形や、半楕円形のように形成することも可能である。このような場合、脚は、端に１か所設けるようにしてもよい。
【００１８】
脚１ａ、２ａ、４ａは、天板と側板で囲まれる空間内に収納可能とするため、本実施例では、外径２３ｍｍ、長さ３５０ｍｍとしたが、周知技術により、継ぎ足し可能な構造の脚として、腰掛けた状態で使用する高さまで、テーブル面を上げてもよい（図示せず）。
【００１９】
本発明によれば、第１テーブル片１、第２テーブル片２、第４テーブル片４に取り付けた６本の脚で支えるため、広いテーブル面にかかる荷重を十分に支えることができる。図示した実施例では、６本の脚で構成したが、それ以上の脚を取り付けてもよい。また、従来技術では、テーブル面を４本の脚で支えていたために、テーブル面が揺動したり震動に敏感であったりと、不安定になりやすかったが、６本の脚では、揺動や震動を小さく抑えることができ、安定した状態で使用可能となった。
【００２０】
図１のように折り畳んだ姿では、金具などを含めても、幅１３５ｍｍ、長さ４７０ｍｍ、高さ６１０ｍｍとなり、持ち運びが容易で、収納性も高い。また、金具などの構成する部品点数が少ないという特徴も有する。
【００２１】
また、テーブル片に、図示した実施例のテーブル片にあるような側板を設けないで、天板のみとし、ひんじを天板の角部近辺や端部に取り付けてもよい（図示せず）。この場合のひんじは、以下に説明する形状とする。
【００２２】
本発明に用いるひんじは、図示した形状に限らない。第１テーブル片と第２テーブル片とを結合するひんじ、および第３テーブル片と第４テーブル片とを結合するひんじは、折り畳まれた状態の天板の間隔の半分の高さだけ、天板から離れた枢軸を備え、また、第２テーブル片と第３テーブル片とを結合するひんじは、前記高さの倍だけ、天板から離れた枢軸を備えていればよい。
【００２３】
このように、天板とひんじの枢軸との位置関係を決めることにより、四つ折りに畳むことが可能となり、収納性のよい四つ折りテーブルを実現できる。
【００２４】
説明のために、図示した実施例の部品点数や部品の大きさ、形状などを、周知技術により変更することは可能である。
【００２５】
【発明の効果】
本発明の四つ折りテーブルは、使用時の四分の一の長さに折り畳むことができ、収納および運搬が容易となる。また、ひんじの突き出る方向が、使用時のテーブル面の裏側になるので、邪魔にならない。
【００２６】
また、テーブル面を広くしても、６本の脚をバランスよく配置できるので、安定して使用することができる。
【図面の簡単な説明】
【図１】  本発明の一実施例の四つ折りテーブルの折り畳んだ状態を示す斜視図である。
【図２】  使用する状態を示す斜視図である。
【図３】  脚を収納した状態の底面を示す斜視図である。
【図４】  従来技術による二つ折りテーブルの斜視図を示す。
【図５】  折り畳んだ状態の斜視図である。
【図６】  従来技術による三つ折りテーブルの斜視図を示す。
【図７】  折り畳んだ状態の斜視図である。
【符号の説明】
１  第１テーブル片
１ａ、２ａ、４ａ  脚
１ｂ、２ｂ、４ｂ  枢軸
１ｃ、２ｃ、４ｃ  部材
１ｄ、２ｄ、４ｄ  固定金具
２  第２テーブル片
３  第３テーブル片
４  第４テーブル片
５  取っ手
６、６ａ  固定用金具
２０  第１ひんじ
２０ａ、３０ａ  枢軸
３０  第２ひんじ
４１、５１  第１テーブル片
４２ａ、５１ａ、５２ａ  脚
４２ｂ、５１ｂ、５２ｂ  枢軸
４２ｃ、５１ｃ、５２ｃ  部材
４２ｄ、５１ｄ、５２ｄ  固定金具
４２、５２  第２テーブル片
４３  第３テーブル片
４５、５５  ひんじ
４５ａ、５５ａ  枢軸
【図１】
0003748736.tif 000002
【図２】
0003748736.tif 000003
【図３】
0003748736.tif 000004
【図４】
0003748736.tif 000005
【図５】
0003748736.tif 000006
【図６】
0003748736.tif 000007
【図７】
0003748736.tif 000008